(57)【要約】【課題】電線により不用意にレバーのロックが解除されることを防止する。【解決手段】レバー５０が終端位置まで回動されると、ロック片５６がロック部４６に弾性的に係止することでレバー５０が終端位置に保持され、ロック片５６に設けられた解除部５８を引き上げて同ロック片５６を強制的に弾性変位させることでロック部４６に対する係止が解除され、レバー５０の初期位置側への回動が許容されるようにしたレバー式コネクタにおいて、ハウジング３０の後面から引き出された電線ｗがロック部４６側に向けて引っ張られた場合に同電線ｗと干渉可能な干渉部４８が設けられ、電線ｗが干渉部４８との干渉を介して解除部５８に当接した場合には同解除部５８を係止方向に押さえ込むようになっている。【選択図】図４
2014143039.tif 000002
【特許請求の範囲】
【請求項１】
電線の端末に接続された端子金具が後方から挿入されて収容されるハウジングと、
このハウジングの一側面側において前後方向の回動可能に設けられ初期位置から終端位置に回動される間に相手側ハウジングとの嵌合を行わせるレバーと、
前記ハウジングの前記一側面側において当該ハウジングの後面から張り出した位置に設けられたロック部と、
このロック部と係合可能に前記レバーに設けられた弾性変位可能なロック片と、が具備され、
前記レバーが前記終端位置まで回動されると、前記ロック片が前記ロック部に弾性的に係止することで前記レバーが前記終端位置に保持され、前記ロック片に設けられた解除部を引き上げて同ロック片を強制的に弾性変位させることで前記ロック部に対する係止が解除され、前記レバーの前記初期位置側への回動が許容されるようにしたレバー式コネクタにおいて、
前記ハウジングの後面から引き出された前記電線が前記ロック部側に向けて引っ張られた場合に同電線と干渉可能な干渉部が設けられ、前記電線が前記干渉部との干渉を介して前記解除部に当接した場合には同解除部を係止方向に押さえ込むようになっていることを特徴とするレバー式コネクタ。
【請求項２】
前記干渉部が、前記ハウジングの後面から突出形成されていることを特徴とする請求項１記載のレバー式コネクタ。
【請求項３】
前記干渉部が、前記レバーに形成されていることを特徴とする請求項１記載のレバー式コネクタ。
【発明の詳細な説明】
【技術分野】
【０００１】
本発明は、レバー式コネクタに関する。
【背景技術】
【０００２】
従来、レバー式コネクタの一例として、下記特許文献１に記載のものが知られている。このものは、電線の端末に接続された端子金具が後方から挿入されて収容されるハウジングと、このハウジングの一側面側において前後方向の回動可能に設けられ初期位置から嵌合位置に回動される間に相手側ハウジングとの嵌合を行わせるレバーと、レバーの回動端側に弾性変位可能に設けられたロック片と、ハウジングの一側面側において当該ハウジングの後面から張り出した位置に設けられたロック部と、が具備され、レバーが嵌合位置まで回動されると、ロック片がロック部に弾性的に係止することでレバーが嵌合位置に保持され、ロック片に設けられた解除部を引き上げて同ロック片を強制的に弾性変位させることでロック部に対する係止が解除され、レバーの初期位置側への回動が許容されるようになっている。
【先行技術文献】
【特許文献】
【０００３】
【特許文献１】特開２００３−２９７４８１号公報
【発明の概要】
【発明が解決しようとする課題】
【０００４】
上記従来構造のものでは、ハウジングの後面から引き出された電線が例えばロック部側に向けて引っ張られると、電線の途中位置がロック部に係止しているロック片の解除部に当たってこれを押し上げ、ロック片を弾性変位させて図らずも係止が解除されるおそれがあった。
本発明は上記のような事情に基づいて完成されたものであって、その目的は、電線により不用意にレバーのロックが解除されることを防止するところにある。
【課題を解決するための手段】
【０００５】
本発明は、電線の端末に接続された端子金具が後方から挿入されて収容されるハウジングと、このハウジングの一側面側において前後方向の回動可能に設けられ初期位置から終端位置に回動される間に相手側ハウジングとの嵌合を行わせるレバーと、前記ハウジングの前記一側面側において当該ハウジングの後面から張り出した位置に設けられたロック部と、このロック部と係合可能に前記レバーに設けられた弾性変位可能なロック片と、が具備され、前記レバーが前記終端位置まで回動されると、前記ロック片が前記ロック部に弾性的に係止することで前記レバーが前記終端位置に保持され、前記ロック片に設けられた解除部を引き上げて同ロック片を強制的に弾性変位させることで前記ロック部に対する係止が解除され、前記レバーの前記初期位置側への回動が許容されるようにしたレバー式コネクタにおいて、前記ハウジングの後面から引き出された前記電線が前記ロック部側に向けて引っ張られた場合に同電線と干渉可能な干渉部が設けられ、前記電線が前記干渉部との干渉を介して前記解除部に当接した場合には同解除部を係止方向に押さえ込むようになっているところに特徴を有する。
【０００６】
ハウジングの後面から引き出された電線がロック部側に向けて引っ張られると、干渉部と干渉することで屈曲され、そののちロック片に設けられた解除部に当たったとしても、同解除部を係止方向に押さえ込むことで、ロック片がロック部に対して係止した状態に保持される。引っ張られた電線により不用意にロックが解除されることが防止される。
【０００７】
以下のような構成としてもよい。
前記干渉部が、前記ハウジングの後面から突出形成されている。
また、前記干渉部が、前記レバーに形成されている。
【発明の効果】
【０００８】
本発明によれば、電線により不用意にレバーのロックが解除されることを防止できる。
【図面の簡単な説明】
【０００９】
【図１】本発明の一実施形態に係る雌ハウジングの背面図
【図２】雄雌のコネクタの嵌合前の状態の縦断面図
【図３】嵌合完了時の縦断面図
【図４】ロック解除が阻止された状態を示す縦断面図
【図５】図４の部分拡大図
【発明を実施するための形態】
【００１０】
＜実施形態＞
本発明の一実施形態を図１ないし図５に基づいて説明する。この実施形態では、図２に示すように、互いに嵌合される雄コネクタＭＣと雌コネクタＦＣとが備えられており、雌コネクタＦＣが本発明のレバー式コネクタに相当する。
以下、各コネクタＭＣ，ＦＣにおいて嵌合面側を前方とし、図２における紙面と垂直方向を左右として説明する。
【００１１】
先に、相手側となる雄コネクタＭＣについて説明する。雄コネクタＭＣは、図２に示すように、機器側コネクタであって、合成樹脂製の機器ケース１１の周壁から横長の略長方形状をなす小フード部１２が一体的に突設されることで雄ハウジング１０が形成されている。雄ハウジング１０の小フード部１２の後方からは、複数のダブ状をなす雄端子１５が整列して突出されている。
小フード部１２の左右の側面には、図示しないカムピンが立てられている。
【００１２】
続いて、雌コネクタＦＣについて説明する。当該雌コネクタＦＣは、合成樹脂製の雌ハウジング３０と、同雌ハウジング３０に収容される雌端子２０と、相手の雄ハウジング１０との嵌合・離脱を助勢する合成樹脂製のレバー５０とを備えている。
雌端子２０は、上記した雄端子１５と接続される接続部２１を前端部に有する形状であって、後端に設けられたバレル２２をかしめることで、ゴム栓２５ともども電線ｗの端末に接続されている。
【００１３】
雌ハウジング３０は、上記した雄ハウジング１０の小フード部１２内にクリアランスを持って嵌合可能な端子収容部３１と、この端子収容部３１の前側の大半部分を覆うようにして形成された前面開口の大フード部３２とを備えている。大フード部３２は、雄ハウジング１０の小フード部１２の外周にほぼ緊密に嵌合可能である。
【００１４】
端子収容部３１は、前壁部３１Ａが別ピースとして一体的に組み付けられている。端子収容部３１には、図１にも示すように、複数のキャビティ３５が、上記した雄端子１５と対応した配列で形成されている。各キャビティ３５には、電線ｗの端末に接続された雌端子２０が後方から挿入され、キャビティ３５の底面に設けられた樹脂ランス３６により一次係止されるとともに、リテーナ３７により二次係止されることによって、二重に抜け止めされて収容されるようになっている。併せてキャビティ３５の入口にゴム栓２５が密嵌される。
端子収容部３１における大フード部３２内に突出した前側部分における根元部には、シールリング３８が嵌着され、上記した前壁部３１Ａとリテーナ３７とによって抜け止めされている。
【００１５】
雌ハウジング３０には、レバー５０が装着されている。レバー５０は合成樹脂製であって、図１に示すように、板状をなす左右一対のアーム部５１の先端同士を操作部５２で連結した門型に形成されている。同レバー５０は、雌ハウジング３０を跨ぐようにして装着され、大フード部３２の左右の側面に突設された支持軸４０により回動可能に支持されており、詳細には、図２に示す初期位置と、図３に示す終端位置との間で回動可能となっている。
【００１６】
レバー５０のアーム部５１の内面には、所定の曲線形状をなすカム溝５４が形成されており、上記した雄ハウジング１０の小フード部１２における左右の側面に立てられたカムピンが、大フード部３２の左右の側壁に切り込み形成された逃がし溝４１を通してカム溝５４に嵌合可能となっている。レバー５０が上記した初期位置にある場合には、図２に示すように、カム溝５４の入口５４Ａが前方を向いて開口し、雄雌のハウジング１０，３０の嵌合に伴い、雄ハウジング１０側のカムピンをカム溝５４内に導入可能となっている。
【００１７】
レバー５０の操作部５２における横幅方向の中央部には、同レバー５０を終端位置においてロックするべくレバー側ロック部５５が設定され、このレバー側ロック部５５にはロック片５６が設けられている。ロック片５６は、間にロック溝５７を有して片持ちの弾性撓み可能に形成されている。レバー５０が終端位置に到ったときには、図３に示すように、ロック片５６は後方の斜め下方に突出した姿勢をとる。
雌ハウジング３０の後面の上縁における横幅方向の中央部には、レバー側ロック部５５と係合するハウジング側ロック部４５が突設されている。このハウジング側ロック部４５には、上記したロック片５６のロック溝５７に嵌合可能な突部４６が形成されている。
【００１８】
詳細には、両ハウジング１０，３０が正規に嵌合され、すなわち図３に示すようにレバー５０が終端位置に回動された場合に、レバー側ロック部５５がハウジング側ロック部４５に突き当たり、このときロック片５６が弾性撓みしつつ突部４６を通り越して、ロック溝５７に突部４６が嵌合することでロックされるようになっている。
一方、ロック片５６の先端には指掛け可能な解除部５８が形成されており、同解除部５８に指を掛けてロック片５６を引き上げる方向に強制的に弾性撓みさせることで、突部４６がロック溝５７から抜けてロックが解除され、レバー５０を初期位置に向けて回動することが許容されるようになっている。
【００１９】
さて、雌ハウジング３０の後面には、キャビティ３５から引き出された電線ｗ（特に小径の電線ｗ）が、図４に示すように上方に引き上げられた場合に、引き上げられた電線ｗと干渉する干渉板４８が突出形成されている。この干渉板４８は、図１にも示すように、雌ハウジング３０の後面における横幅方向の中央部で、かつキャビティ３５の形成領域の少し上方位置において、同雌ハウジング３０の横幅の１／３弱の幅寸法を有して、後方に向けて水平姿勢で突出形成されている。干渉板４８の突出長さは、その突出端が、ハウジング側ロック部４５の後端とほぼ一致する位置まで突出した長さに設定されている。
【００２０】
干渉板４８の突出長さは、以下のように設定されている。図３に示す状態から電線ｗが上方に引き上げられた場合、仮に干渉板４８が設けられていないと、同電線ｗがロック片５６の解除部５８に直接に当たって、同解除部５８を持ち上げつつロック片５６を係止解除方向に弾性撓みさせるおそれがある。
これに対して干渉板４８が形成されていると、図４に示すように、引き上げられた電線ｗの途中位置が干渉板４８の突出端に当ってその先が立ち上がるように屈曲し、電線ｗがロック片５６には直接には当たらないか、仮に当たったとしても立ち上がった姿勢でロック片５６の解除部５８に押し付けられるようになる。
【００２１】
このとき、図５に示すように、電線ｗから解除部５８に対して押付力Ｐが作用するが、電線ｗが立ち上がっている分、解除部５８に対して係止方向に押さえる分力Ｐａが作用する。ここで、干渉板４８の突出長さが大きくなるほど電線ｗが急勾配に立ち上がって、大きな分力Ｐａが得られるのであるが、干渉板４８の突出長さが大きくなるほど、雌ハウジング３０が大型化し、また干渉板４８自身の強度も小さくなる傾向にある。
そこで本実施形態の干渉板４８では、同干渉板４８に当たって立ち上がるように屈曲したのちの電線ｗが解除部５８に押し付けられた際に、少なくとも解除部５８に対して係止方向に押さえる分力Ｐａを作用させることができるような勾配を持って屈曲させるに足る突出長さを持って形成されている。
【００２２】
本実施形態の作用を説明する。雄雌のコネクタＭＣ，ＦＣを嵌合する場合は、雌ハウジング３０に対してレバー５０を初期位置に装着し、同雌ハウジング３０を、図２の矢線に示す方向に雄ハウジング１０と嵌合させる。嵌合の初期では、雄ハウジング１０側のカムピンが、レバー５０におけるアーム部５１に形成されたカム溝５４に導入される。次に、操作部５２に指を掛けてレバー５０を同図の時計回り方向に回動させると、カムピンとカム溝５４との間のカム作用によって、雌ハウジング３０が雄ハウジング１０に向けて引き寄せられて次第に嵌合される。
レバー５０が終端位置まで回動されると、図３に示すように、ロック片５６のロック溝５７内に突部４６が嵌合することによってレバー５０がロックされ、もって両ハウジング１０，３０が正規の嵌合状態に保持される。
【００２３】
ここで、雌ハウジング３０の後面から引き出された電線ｗが、図３の矢線に示すように上方に向けて引っ張られることがあり得る。その場合、図４に示すように、引き上げられた電線ｗの途中位置が干渉板４８の突出端に当たり、その先が立ち上がるように屈曲した状態で引き上げられる。仮に電線ｗがロック片５６の解除部５８に押し付けられるにしても、急勾配に立ち上がった形態で解除部５８に押し付けられるために、図５に示すように、解除部５８に対して係止方向に押さえる分力Ｐａが作用し、これによりロック片５６が係止状態、すなわちレバー５０がロックされた状態に保持される。したがって、レバー５０が不必要に初期位置に向けて回動することが阻止される。
【００２４】
メンテナンス等において、雄雌のコネクタＭＣ，ＦＣを離脱する場合は、図３に示す状態から、解除部５８に指を掛けてロック片５６を引き上げる方向に強制的に弾性撓みさせると、突部４６がロック溝５７から抜けてロックが解除される。続いてレバー５０を初期位置に向けて回動すると、カムピンとカム溝５４との間のカム作用により雌ハウジング３０が雄ハウジング１０から次第に離脱され、レバー５０を初期位置まで回動したのちさらに雌ハウジング３０を後方に引くと、カムピンがカム溝５４から抜かれつつ、雌コネクタＦＣが雄コネクタＭＣから離脱される。
【００２５】
本実施形態によれば、雌ハウジング３０の後面におけるハウジング側ロック部４５の下方位置に、干渉板４８を所定の突出長さで突出形成した構造としたから、雌ハウジング３０の後面から引き出された電線ｗがハウジング側ロック部４５に向かう上方に引っ張られた場合に、干渉板４８と干渉することで屈曲され、そののちロック片５６に設けられた解除部５８に当たったとしても、同解除部５８を分力Ｐａによって係止方向に押さえ込むように機能し、ロック片５６がハウジング側ロック部４５の突部４６に対して係止した状態に保持される。結果、引っ張られた電線ｗにより不用意にロックが解除されることが防止され、ひいては、レバー５０が不必要に初期位置側に向けて回動することが阻止される。
【００２６】
＜他の実施形態＞
本発明は上記記述及び図面によって説明した実施形態に限定されるものではなく、例えば次のような実施形態も本発明の技術的範囲に含まれる。
（１）干渉板（干渉部）の配設位置は、ハウジング側ロック部の位置等の条件に応じて、適宜に選定し得るものである。
（２）上記実施形態では、干渉部をハウジング側に設けた場合を例示したが、レバーの操作部側に設けるようにしてもよい。
（３）本発明は、雄ハウジング側にレバーが装着されたものについても、同様に適用することが可能である。
【符号の説明】
【００２７】
ｗ…電線
１０…雄ハウジング（相手側ハウジング）
２０…雌端子（端子金具）
３０…雌ハウジング（ハウジング）
４５…ハウジング側ロック部
４６…突部（ロック部）
４８…干渉板（干渉部）
５０…レバー
５２…操作部
５５…レバー側ロック部
５６…ロック片
５８…解除部
【図１】
2014143039.tif 000003
【図２】
2014143039.tif 000004
【図３】
2014143039.tif 000005
【図４】
2014143039.tif 000006
【図５】
2014143039.tif 000007